(57)【要約】【課題】大型化や機構の複雑化を招かずに簡便な構造で測定圧を安定させることができ、かつ良好な使い勝手を維持して操作性を向上させることができる測定器の提供。【解決手段】ノギス１は、本尺１１と、本尺１１の長手方向に沿ってスライド自在に設けられたスライダ１２とを備えた測定器である。スライダ１２は、使用者が指を掛けて操作するための操作部１５を備え、この操作部１５は、指の操作に伴い移動することで指に対する抵抗を発生するとともに、所定の移動位置にて抵抗を変化させることで、指の触覚として所定の測定圧に達したことを通知する触覚通知手段２０を備える。【選択図】図２
2018180005.tif 000002
【特許請求の範囲】
【請求項１】
使用者の指によって操作される操作部を備える測定器であって、
前記操作部は、指の操作に伴い移動することで指に対する抵抗を発生させるとともに、所定の移動位置にて前記抵抗を変化させることで、指の触覚として所定の測定圧に達したことを通知する触覚通知手段を備えることを特徴とする測定器。
【請求項２】
請求項１に記載された測定器において、
前記触覚通知手段は、前記操作部が前記所定の移動位置に達する直前から当該所定の移動位置にかけて、前記抵抗を急変させることで、指に対してクリック感を与えることを特徴とする測定器。
【請求項３】
請求項１または請求項２に記載された測定器において、
前記触覚通知手段は、前記操作部の複数の移動位置において前記抵抗を変化させることで、各移動位置に対応した異なる測定圧に達したことを通知可能に構成されていることを特徴とする測定器。
【請求項４】
請求項１から請求項３のいずれかに記載された測定器において、
一方のジョーを有する本尺と、この本尺にスライド可能に設けられ前記一方のジョーとともに被測定物に当接される他方のジョーを有するスライダと、このスライダに設けられるとともに当該スライダをスライドするための前記操作部と、を備えたノギスであることを特徴とする測定器。
【請求項５】
請求項４に記載された測定器において、
前記触覚通知手段は、使用者が指を掛ける指掛け部を有して前記スライダに移動自在に設けられる移動部材と、前記移動部材の移動に伴って当該移動部材を付勢することで前記抵抗を発生させる付勢部と、前記移動部材に接触して前記抵抗を変化させる抵抗変更部と、を有して構成されることを特徴とする測定器。
【請求項６】
請求項５に記載された測定器において、
前記抵抗変更部は、前記移動部材に摺接する摺接ばねを有して構成され、
前記移動部材および前記摺接ばねの一方には、他方に向かって突出した突起が形成され、他方には、前記突起に当接する当接部が形成され、この当接部が前記突起を乗り越えることで、前記抵抗を急変させて指に対してクリック感を与えることを特徴とする測定器。
【請求項７】
請求項５または請求項６に記載された測定器において、
前記移動部材は、前記本尺に沿って前記スライダがスライドする方向に対応した第一方向および第二方向に移動可能に設けられ、
前記付勢部は、前記第一方向に向かって移動する前記移動部材を付勢する第一付勢部と、前記第二方向に向かって移動する前記移動部材を付勢する第二付勢部と、を有し、
前記抵抗変更部は、前記第一方向および第二方向の各方向に移動する前記移動部材に接触して前記抵抗を変更可能に構成されていることを特徴とする測定器。
【発明の詳細な説明】
【技術分野】
【０００１】
本発明は、使用者の指によって操作される操作部を備える測定器に関する。
【背景技術】
【０００２】
従来、使用者の指によって操作される操作部を備える測定器として、ノギスやマイクロメータ等が知られている。例えば、ノギスを用いて被測定物の寸法などを測定する場合、使用者がスライダの操作部に指を掛け、この操作部を押したり引いたりしてスライダをスライドさせ、測定ジョーを被測定物の測定部位間に当接させる。このため、被測定物に対する押圧力（測定圧）がばらつきやすく、測定値に誤差が生じやすいという欠点がある。
【０００３】
そこで、測定圧を安定させる機構を備えたノギス（測定器）として、例えば、特許文献１、２に記載されたものが提案されている。これらの文献に記載のノギスは、スライダとは別に、本尺に沿ってスライド自在かつスライダとばねで接続された第二スライダを備え、この第二スライダを指で操作することで、ばねを介して調整された操作力がスライダに付与されるようになっている。また、特許文献２に記載されたノギスは、本尺に対して第二スライダの移動をロックするロック機構を備え、所定の操作力を超えた力がスライダに伝わらないようにすることで、測定圧を安定させようとするものである。
【先行技術文献】
【特許文献】
【０００４】
【特許文献１】特開平９−４９７２１号公報
【特許文献２】特開２０００−１５５００１号公報
【発明の概要】
【発明が解決しようとする課題】
【０００５】
しかしながら、従来のノギス（測定器）のようにスライダと別体の第二スライダを設けると、測定器が大型化してしまうとともに、機構が複雑になるという問題がある。また、スライダから離れた第二スライダを指で操作することから、一般的な測定器と操作感が異なり、使い勝手が低下するという問題がある。
【０００６】
本発明の目的は、大型化や機構の複雑化を招かずに簡便な構造で測定圧を安定させることができ、かつ良好な使い勝手を維持して操作性を向上させることができる測定器を提供することである。
【課題を解決するための手段】
【０００７】
本発明の測定器は、使用者の指によって操作される操作部を備える測定器であって、前記操作部は、指の操作に伴い移動することで指に対する抵抗を発生させるとともに、所定の移動位置にて前記抵抗を変化させることで、指の触覚として所定の測定圧に達したことを通知する触覚通知手段を備えることを特徴とする。
【０００８】
このような本発明によれば、測定器は、操作部を備え、この操作部の触覚通知手段は、所定の移動位置にて抵抗を変化させることで所定の測定圧に達したことを通知するので、使用者が指の触覚として直感的かつ即座に所定の測定圧に達したことを知ることができ、測定圧を安定させることができる。すなわち、視覚や聴覚ではなく、操作部を操作する指の触覚として感知できるので、周囲の環境（明るさや騒音）に影響されることなく操作することができ、操作性を飛躍的に向上させることができる。
【０００９】
また、測定器の操作部に触覚通知手段が設けられているので、従来の測定器における第二スライダのような別体の部材を追加する必要がなく、測定器の大型化や機構の複雑化を招くことがない。さらに、一般的な測定器の操作部を操作するのと同様の操作によって測定を実施することができ、良好な使い勝手を維持して操作性を一層向上させることができる。
【００１０】
本発明では、前記触覚通知手段は、前記操作部が前記所定の移動位置に達する直前から当該所定の移動位置にかけて、前記抵抗を急変させることで、指に対してクリック感を与えることが好ましい。
【００１１】
このような構成によれば、抵抗の急変によって指に対してクリック感を与え、このクリック感により所定の測定圧に達したことを使用者が明確に知ることができるので、操作性をさらに向上させるとともに、測定圧をより一層安定させることができる。
【００１２】
本発明では、前記触覚通知手段は、前記操作部の複数の移動位置において前記抵抗を変化させることで、各移動位置に対応した異なる測定圧に達したことを通知可能に構成されていることが好ましい。
【００１３】
このような構成によれば、複数の移動位置において抵抗を変化させ、それぞれ異なる測定圧に達したことを通知することで、使用者が適切な測定圧を選択して測定を実施することができる。すなわち、被測定物の素材や測定場所の雰囲気温度など、被測定物の寸法に影響する条件に応じて適切な測定圧を予め設定しておき、その測定圧に対応した操作部の移動位置を使用者が適宜に選択することによって、測定精度を向上させることができる。
【００１４】
本発明では、一方のジョーを有する本尺と、この本尺にスライド可能に設けられ前記一方のジョーとともに被測定物に当接される他方のジョーを有するスライダと、このスライダに設けられるとともに当該スライダをスライドするための前記操作部と、を備えたノギスであることが好ましい。
【００１５】
このような構成によれば、ノギスにおけるスライダに触覚通知手段を有した操作部が設けられ、この操作部を指で操作することでスライダをスライドすることができるので、ノギスが大型化することなく、良好な使い勝手を維持して操作性を向上させることができる。すなわち、ノギスにおいて、本尺を手で掴むとともにスライダの一部に指を掛けてスライドするのが通常の使用方法であることから、本発明において、スライダをスライドするための操作部がスライダの一部に設けられていることで、良好な使い勝手を維持することができる。
【００１６】
本発明では、前記触覚通知手段は、使用者が指を掛ける指掛け部を有して前記スライダに移動自在に設けられる移動部材と、前記移動部材の移動に伴って当該移動部材を付勢することで前記抵抗を発生させる付勢部と、前記移動部材に接触して前記抵抗を変化させる抵抗変更部と、を有して構成されることが好ましい。
【００１７】
このような構成によれば、触覚通知手段が移動部材と付勢部と抵抗変更部と、を有しているので、付勢部によって移動部材の移動に伴う抵抗を発生させるとともに、抵抗変更部が移動部材に接触して抵抗を変化させ、これにより移動部材の指掛け部に指を掛けて操作部を操作する使用者に対し、所定の測定圧に達したことを的確に通知することができる。
【００１８】
本発明では、前記抵抗変更部は、前記移動部材に摺接する摺接ばねを有して構成され、前記移動部材および前記摺接ばねの一方には、他方に向かって突出した突起が形成され、他方には、前記突起に当接する当接部が形成され、この当接部が前記突起を乗り越えることで、前記抵抗を急変させて指に対してクリック感を与えることが好ましい。
【００１９】
このような構成によれば、移動部材および抵抗変更部の摺接ばねにおいて、一方の突起と他方の当接部とが当接し、当接部が突起を乗り越えて指に対してクリック感を与えることで、所定の測定圧に達したことを使用者に対して明確に通知することができ、測定圧を安定させることができる。
【００２０】
本発明では、前記移動部材は、前記本尺に沿って前記スライダがスライドする方向に対応した第一方向および第二方向に移動可能に設けられ、前記付勢部は、前記第一方向に向かって移動する前記移動部材を付勢する第一付勢部と、前記第二方向に向かって移動する前記移動部材を付勢する第二付勢部と、を有し、前記抵抗変更部は、前記第一方向および第二方向の各方向に移動する前記移動部材に接触して前記抵抗を変更可能に構成されていることが好ましい。
【００２１】
このような構成によれば、スライダのスライドに応じて移動部材が第一方向および第二方向に移動可能であり、その第一方向および第二方向にそれぞれ対応して付勢部が第一付勢部および第二付勢部を有するとともに、第一方向および第二方向のそれぞれにおいて抵抗変更部が抵抗を変化させることで、スライダのスライドの各方向に対して測定圧を安定させることができる。
【図面の簡単な説明】
【００２２】
【図１】本発明の実施形態に係るノギスの正面図
【図２】前記ノギスのスライダを示す斜視図
【図３】前記スライダに設けられる操作部を示す分解斜視図
【図４】前記操作部における触覚通知手段を示す平面図
【図５】前記触覚通知手段の一の動作を示す正面図
【図６】前記触覚通知手段の他の動作を示す正面図
【発明を実施するための形態】
【００２３】
以下、本発明の一実施形態を図面に基づいて説明する。
図１は、本発明の実施形態に係るノギスの正面図である。
ノギス１は、図１に示すように、矩形板状に形成された本尺１１と、本尺１１の長手方向に沿ってスライド自在に設けられたスライダ１２と、を備えたデジタル表示式の測定器である。
なお、以下の説明では、本尺１１の長手方向を図１の左右方向とし、スライダ１２側を図１の左側とする。また、本尺１１の長手方向と直交する方向を図１の上下方向とする。
【００２４】
本尺１１は、長手方向端部に形成された外側測定ジョー１１Ａ（図１下側）と、この外側測定ジョー１１Ａの反対側（図１上側）に本尺１１を挟むようにして形成された内側測定ジョー１１Ｂと、を備えている。また、本尺１１の正面には、本尺目盛が設けられている（図示略）。
スライダ１２は、外側測定ジョー１１Ａに対応して設けられた外側測定ジョー１２Ａと、内側測定ジョー１１Ｂに対応して設けられた内側測定ジョー１２Ｂと、を備えている。
【００２５】
また、スライダ１２は、正面に設けられた表示部１３と、この表示部１３の周囲に設けられた複数の機械式のスイッチ１４と、表示部１３に隣り合って設けられた操作部１５と、を備えている。
表示部１３は、液晶ディスプレイ等の表示装置によって測定情報等を表示する。スイッチ１４は、表示部１３に表示させる情報を切り替えるために操作される。
【００２６】
図２は、スライダ１２を示す斜視図であり、図３は、スライダ１２に設けられた操作部１５を示す分解斜視図である。なお、図３は、図１、２に示すスライダ１２を分解するとともに上下を反転して示す分解斜視図であり、図１、２に対し、図３（および後述する図４〜５）では、左右が反転して示されている。
スライダ１２は、本尺１１にスライド自在に設けられた角筒状のスライダ本体１２Ｃを備え、このスライダ本体１２Ｃに操作部１５と、ボタン電池を収容するための電池収容部１２０（図３）と、が設けられている。
【００２７】
操作部１５は、本尺１１の長手方向において、表示部１３を挟んで外側測定ジョー１２Ａおよび内側測定ジョー１２Ｂの反対側（図１右側）の端部に設けられ、本尺１１の長手方向と直交する方向において、外側測定ジョー１２Ａと同じ側（図１下側）に突出して設けられている。この操作部１５は、スライダ１２を本尺１１の長手方向に沿ってスライドする際に、使用者が指を掛けて操作するための部位である。
【００２８】
このようなノギス１は、操作部１５に指を掛けてスライダ１２を本尺１１に対してスライドさせ、外側測定ジョー１１Ａ，１２Ａを被測定物の外側に当接させることによって、被測定物の外側の長さを測定することができる。また、ノギス１は、内側測定ジョー１１Ｂ，１２Ｂを被測定物の内側に当接させることによって、被測定物の内側の長さを測定することができる。そして、ノギス１は、被測定物を測定して得られた測定値などの情報を表示部１３に表示する。
【００２９】
図４は、操作部１５における触覚通知手段２０を示す平面図である。
操作部１５には、外側測定ジョー１１Ａ，１２Ａまたは内側測定ジョー１１Ｂ，１２Ｂを被測定物に当接させる際に、この当接によって各ジョー１１Ａ，１２Ａ，１１Ｂ，１２Ｂから被測定物に作用する測定圧が所定の値に達したことを指の触覚として通知する触覚通知手段２０が設けられている。
【００３０】
触覚通知手段２０は、使用者が指を掛ける指掛け部としての複数の突起２１３が形成された移動部材としての回動部材２１と、この回動部材２１を付勢して操作に伴う抵抗を発生する付勢部材２２と、を備えている。この触覚通知手段２０は、回動部材２１の回動（移動）に伴い付勢部材２２から受ける抵抗の変化によって、所定の測定圧に達したことを指の触覚として使用者に通知する。
【００３１】
操作部１５におけるスライダ本体１２Ｃには、回動部材２１を収容する収容部１２１と、回動部材２１を回動自在に支持する支持部としての支持軸１２２と、回動部材２１の回動角度を規制する規制部１２３と、が設けられている。また、スライダ本体１２Ｃには、回動部材２１の突起２１３に対応した複数の突起１２４が形成されている。さらに、収容部１２１の底面には、付勢部材２２を位置決めする位置決め突起１２５（図４）が形成されている。
【００３２】
回動部材２１は、全体略扇形の回動部材本体２１０を備え、この回動部材本体２１０には、支持軸１２２が挿通される軸挿通孔２１１と、規制部１２３が挿通される被規制孔２１２と、複数の突起２１３と、が形成されている。この回動部材２１は、支持軸１２２を中心として回転自在に支持されており、第一方向（図４に矢印Ｒ＋で示す方向）と、第二方向（図４に矢印Ｒ−で示す方向）と、の二方向に回動可能になっている。また、各方向に回動部材２１が回動した際に、規制部１２３が被規制孔２１２の内面に当接することで、回動部材２１の回動角度が規制される。
【００３３】
付勢部材２２は、板ばね材料を打ち抜き加工および曲げ加工して形成された一体成形部品であり、略円盤状のベース部２２１と、このベース部２２１の一方側から立ち上がる第一付勢部２２２と、ベース部２２１の他方側から立ち上がる第二付勢部２２３と、この第二付勢部２２３の基端部側に連続して設けられる摺接ばね部２２４と、を備えている。この付勢部材２２は、ベース部２２１の中心に設けられた挿通孔に支持軸１２２を挿通させるとともに、ベース部２２１の中心から偏心した位置に設けられた位置決め孔２２５に位置決め突起１２５を挿通させることで、スライダ本体１２Ｃの収容部１２１に回動不能に取り付けられる。
【００３４】
第一付勢部２２２は、回動部材本体２１０の一方側の側面部２１０Ａに対向して延びるとともに、その先端側に支持軸１２２に向かって屈曲し一方側の側面部２１０Ａに当接する当接部２２２Ａを有して形成されている。第二付勢部２２３は、回動部材本体２１０の他方側の側面部２１０Ａに対向して延びるとともに、その先端側に支持軸１２２に向かって屈曲し他方側の側面部２１０Ａに当接する当接部２２３Ａを有して形成されている。これらの第一付勢部２２２および第二付勢部２２３は、それぞれ回動部材本体２１０の側面部２１０Ａに各当接部２２２Ａ，２２３Ａを当接させ、回動部材本体２１０を両側から挟んで押圧する付勢力を回動部材２１に作用させる。
【００３５】
これらの第一付勢部２２２および第二付勢部２２３は、回動部材２１の回動に伴い、抵抗を発生する。具体的には、回動部材２１が第一方向（図４に矢印Ｒ＋で示す方向）に回動された場合において、当接部２２２Ａから回動部材本体２１０の側面部２１０Ａに作用する付勢力が増大し、逆に当接部２２３Ａからの付勢力が減少することで、第一付勢部２２２によって、回動部材２１の回動を戻す方向への抵抗が発生し、この抵抗が回動部材２１の回動に伴い徐々に増大する。一方、回動部材２１が第二方向（図４に矢印Ｒ−で示す方向）に回動された場合には、第二付勢部２２３によって、回動部材２１の回動を戻す方向への抵抗が徐々に増大する。
【００３６】
摺接ばね部２２４は、回動部材本体２１０の背面側（支持軸１２２を挟んで指掛け部である複数の突起２１３と反対側）に延びるとともに、その先端側に支持軸１２２に向かって屈曲し回動部材本体２１０の背面部分に当接する当接部２２４Ａを有して形成されている。一方、回動部材本体２１０の背面部分には、支持軸１２２を中心とする同心円に沿った平坦部２１４と、この平坦部２１４の一方側に隣り合って同心円上に並ぶ複数の第一突部２１５と、平坦部２１４の他方側に隣り合って同心円上に並ぶ複数の第二突部２１６と、が形成されている。
【００３７】
この摺接ばね部２２４は、回動部材本体２１０の平坦部２１４に当接部２２４Ａを当接させつつ平坦部２１４を押圧する。また、回動部材２１の回動に伴い、当接部２２４Ａは、平坦部２１４に摺接するとともに、第一突部２１５または第二突部２１６に当接して乗り越える。このように当接部２２４Ａが第一突部２１５または第二突部２１６を乗り越える際に、当接部２２４Ａと回動部材本体２１０との摺接抵抗が変化する。すなわち、摺接ばね部２２４の当接部２２４Ａと第一突部２１５および第二突部２１６とによって、回動部材２１が回動する際の抵抗を変化させる抵抗変更部が構成されている。
【００３８】
また、当接部２２４Ａが第一突部２１５または第二突部２１６を乗り越える際には、先ず、当接部２２４Ａが第一突部２１５または第二突部２１６に当接することから、摺接抵抗が急激に増大する。次に、第一突部２１５または第二突部２１６の頂点に当接部２２４Ａが到達するまで摺接抵抗が増大し続け、その後、第一突部２１５または第二突部２１６の頂点を当接部２２４Ａが超えると摺接抵抗が減少する。このように当接部２２４Ａが第一突部２１５または第二突部２１６を乗り越える際に、摺接抵抗を急変させることで、抵抗変更部は、回動部材２１を操作する使用者の指に対してクリック感を与える。
【００３９】
図５は、触覚通知手段２０の一の動作を示す正面図である。
ここで、図５に示す触覚通知手段２０の一の動作としては、本尺１１の内側測定ジョー１１Ｂに対し、スライダ１２の内側測定ジョー１２Ｂが離れる方向、すなわち、図１の右側に向かってスライダ１２をスライドさせ、被測定物の内側の長さを測定する際の動作である。この測定動作において、使用者は、回動部材２１の指掛け部である複数の突起２１３およびスライダ本体１２Ｃの複数の突起１２４に指を掛け、図５に白抜き矢印で示す方向に力を加え、スライダ１２をスライドさせる。内側測定ジョー１１Ｂ，１２Ｂが被測定物に当接すると、スライダ１２のスライドが停止し、スライダ本体１２Ｃに対して回動部材２１が回動する。
【００４０】
図５に示すように、回動部材２１が第一方向（図中矢印Ｒ＋で示す方向）に回動すると、回動部材本体２１０の側面部２１０Ａが図中左方に移動し、この側面部２１０Ａが当接部２２２Ａを押圧し、第一付勢部２２２を撓ませる。これにより、第一付勢部２２２からの付勢力が増大し、当接部２２２Ａから回動部材本体２１０に反力が作用し、回動部材２１の回動を戻す方向（図中矢印Ｒ−で示す第二方向）への抵抗が徐々に増大する。一方、回動部材本体２１０の側面部２１０Ａが第二付勢部２２３の当接部２２３Ａから離れる方向に移動することで、当接部２２３Ａが回動部材本体２１０を押圧する付勢力は減少し、やがて当接部２２３Ａと側面部２１０Ａとは離隔する。
【００４１】
このような第一付勢部２２２の付勢力に抗して、さらに回動部材２１が第一方向に回動すると、摺接ばね部２２４の当接部２２４Ａが平坦部２１４に隣接する１つ目の第一突部２１５に当接し、第一付勢部２２２による抵抗に摺接ばね部２２４からの摺接抵抗が加わり、この増大した抵抗が使用者の指に伝わる。さらに、回動部材２１が回動して摺接ばね部２２４の当接部２２４Ａが第一突部２１５を乗り越える際には、摺接抵抗が急激に増大した後に減少することで、クリック感が使用者の指に伝わる。この１つ目の第一突部２１５を乗り越える際の１度目のクリック感により、触覚通知手段２０は、指の触覚として所定の測定圧のうち、第一の測定圧に達したことを通知する。
【００４２】
１つ目の第一突部２１５を摺接ばね部２２４の当接部２２４Ａが乗り越えてから、さらに回動部材２１が第一方向に回動すると、２つ目の第一突部２１５を当接部２２４Ａが乗り越えることで、２度目のクリック感が使用者の指に伝わり、触覚通知手段２０は、所定の測定圧のうち第二の測定圧に達したことを通知する。２つ目の第一突部２１５を当接部２２４Ａが乗り越えてから、さらに回動部材２１を第一方向に回動させようとすると、スライダ本体１２Ｃの規制部１２３が回動部材本体２１０の被規制孔２１２の内面に当接し、それ以上は回動部材２１が回動できないことが通知される。また、測定を終了して使用者が回動部材２１から指を離すと、第一付勢部２２２の付勢力によって、回動部材２１が図３に示す初期位置に復帰する。
【００４３】
図６は、触覚通知手段２０の他の動作を示す正面図である。
ここで、図６に示す触覚通知手段２０の他の動作としては、本尺１１の外側測定ジョー１１Ａに対し、スライダ１２の外側測定ジョー１２Ａが接近する方向、すなわち、図１の左側に向かってスライダ１２をスライドさせ、被測定物の外側の長さを測定する際の動作である。この測定動作において、使用者は、回動部材２１およびスライダ本体１２Ｃの複数の突起２１３，１２４に指を掛け、図６に白抜き矢印で示す方向に力を加え、スライダ１２をスライドさせる。外側測定ジョー１１Ａ，１２Ａが被測定物に当接すると、スライダ１２のスライドが停止し、スライダ本体１２Ｃに対して回動部材２１が回動する。
【００４４】
図６に示すように、回動部材２１が第二方向（図中矢印Ｒ−で示す方向）に回動すると、第二付勢部２２３が撓んでその付勢力が増大し、当接部２２３Ａからの反力で回動部材２１の回動を戻す方向（図中矢印Ｒ＋で示す第一方向）への抵抗が徐々に増大する。一方、第一付勢部２２２の付勢力は減少する。さらに、回動部材２１が第二方向に回動すると、摺接ばね部２２４の当接部２２４Ａが平坦部２１４に隣接する１つ目の第二突部２１６に当接し、増大した摺接抵抗が使用者の指に伝わり、当接部２２４Ａが第二突部２１６を乗り越える際には、クリック感が使用者の指に伝わる。この１度目のクリック感により、触覚通知手段２０は、指の触覚として所定の測定圧のうち、第一の測定圧に達したことを通知する。
【００４５】
さらに、回動部材２１が第二方向に回動すると、２つ目の第二突部２１６を当接部２２４Ａが乗り越えることで、２度目のクリック感が使用者の指に伝わり、触覚通知手段２０は、所定の測定圧のうち第二の測定圧に達したことを通知する。２つ目の第二突部２１６を当接部２２４Ａが乗り越えてから、さらに回動部材２１を第二方向に回動させようとすると、スライダ本体１２Ｃの規制部１２３が回動部材本体２１０の被規制孔２１２の内面に当接し、それ以上は回動部材２１が回動できないことが通知される。また、測定を終了して使用者が回動部材２１から指を離すと、第二付勢部２２３の付勢力によって、回動部材２１が図４に示す初期位置に復帰する。
【００４６】
このような実施形態によれば、以下の作用・効果を奏することができる。
（１）ノギス１の操作部１５に触覚通知手段２０が設けられ、この触覚通知手段２０の回動部材２１を回動させる際の抵抗の変化によって、所定の測定圧に達したことが指の触覚として使用者に通知されるので、直感的かつ即座に所定の測定圧に達したことを知ることができ、測定圧を安定させることができる。
【００４７】
（２）この際、触覚通知手段２０は、視覚や聴覚ではなく、操作部１５を操作する指の触覚として通知することで、周囲の環境に影響されることなく、例えば暗所や騒音環境であっても、使用者は所定の測定圧に達したことを知ることができ、操作性を飛躍的に向上させることができる。
【００４８】
（３）ノギス１は、その一般的な操作部であるスライダ１２の操作部１５に触覚通知手段２０を備えているので、スライダ１２と別体の部材を追加する必要がなく、ノギス１の大型化や機構の複雑化を招くことがない。さらに、操作部１５を操作することで、一般的なノギスの操作部と同様の操作感によって測定を実施することができ、良好な使い勝手を維持して操作性を一層向上させることができる。
【００４９】
（４）触覚通知手段２０は、摺接ばね部２２４の当接部２２４Ａと、回動部材２１の第一突部２１５および第二突部２１６と、で構成された抵抗変更部を備え、この抵抗変更部によって指に対してクリック感を与えることができるので、所定の測定圧に達したことを明確に知ることができ、操作性をさらに向上させるとともに、測定圧をより一層安定させることができる。
【００５０】
（５）触覚通知手段２０は、第一突部２１５および第二突部２１６を各２つずつ備え、これらの突部２１５，２１６を摺接ばね部２２４の当接部２２４Ａが乗り越えることで、２箇所でクリック感を使用者の指に伝え、それぞれ異なる第一および第二の測定圧に達したことを通知することができる。従って、使用者が適切な測定圧を選択して測定を実施することができ、測定精度を向上させることができる。
【００５１】
（６）スライダ１２のスライドによる各方向の測定の際に、回動部材２１の第一方向および第二方向への回動に対応して、それぞれ第一付勢部２２２および第二付勢部２２３が回動部材２１を付勢するとともに、第一突部２１５および第二突部２１６と摺接ばね部２２４との摺接抵抗が変化する。このように、スライダのスライドの各方向に対して、触覚通知手段２０が所定の測定圧に達したことを通知することで、各方向の測定圧を安定させて測定精度を向上させることができる。
【００５２】
〔実施形態の変形〕
なお、本発明は、前記実施形態に限定されるものではなく、本発明の目的を達成できる範囲での変形、改良等は本発明に含まれるものである。
例えば、前記実施形態では、測定器としてノギス１を例示したが、マイクロメータなどの他の測定器であってもよい。ここで、マイクロメータとしては、スピンドルを進退させるシンブルを備え、このシンブルにラチェット機構が設けられたものが知られているが、例えば、ラチェット機構に替えて、前述のような触覚通知手段が設けられていればよい。要するに、本発明の測定器は、操作部が指の触覚として所定の測定圧に達したことを通知する触覚通知手段を備えていればよい。
【００５３】
前記実施形態では、触覚通知手段における移動部材として、スライダ本体１２Ｃに回動自在に支持された回動部材２１を用いたが、移動部材はスライダのスライド方向と同じ方向に進退自在に設けられていてもよい。
前記実施形態では、触覚通知手段における付勢部および抵抗変更部として、板ばね材料から形成された付勢部材２２の第一付勢部２２２、第二付勢部２２３および摺接ばね部２２４を用いたが、付勢部と抵抗変更部とが別部材で構成されてもよい。さらに、付勢部は、板ばねで構成されるものに限らず、巻きばねやゴム、スポンジ等の任意の弾性部材で構成されてもよい。
【００５４】
前記実施形態では、触覚通知手段における抵抗変更部として、回動部材２１の第一突部２１５および第二突部２１６と付勢部材２２の摺接ばね部２２４とを用い、これらの摺接抵抗を変化させる構成であったが、これに限らず、付勢部（第一付勢部２２２、第二付勢部２２３）の付勢力による抵抗を変化させるものであれば、抵抗変更部の構成は特に限定されない。
前記実施形態では、触覚通知手段の抵抗変更部は、回動部材２１の第一突部２１５および第二突部２１６を摺接ばね部２２４の当接部２２４Ａが乗り越えることでクリック感を付与するものであったが、このようなクリック感に限らず、単に抵抗を増大させるだけの構成であってもよい。
前記実施形態では、触覚通知手段の回動部材２１は第一突部２１５および第二突部２１６を各２つずつ備えていたが、このような突部の数は特に限定されず、１つでもよいし、３つ以上でもよい。
【産業上の利用可能性】
【００５５】
以上のように、本発明は、使用者の指によって操作される操作部を備える測定器に好適に利用できる。
【符号の説明】
【００５６】
１        ノギス（測定器）
１１      本尺
１１Ａ    外側測定ジョー
１１Ｂ    内側測定ジョー
１２      スライダ
１２Ａ    外側測定ジョー
１２Ｂ    内側測定ジョー
１５      操作部
２０      触覚通知手段
２１      回動部材（移動部材）
２１３    突起（指掛け部）
２１５    第一突部（抵抗変更部）
２１６    第二突部（抵抗変更部）
２２２    第一付勢部（付勢部）
２２３    第二付勢部（付勢部）
２２４Ａ  当接部（抵抗変更部）
【図１】
2018180005.tif 000003
【図２】
2018180005.tif 000004
【図３】
2018180005.tif 000005
【図４】
2018180005.tif 000006
【図５】
2018180005.tif 000007
【図６】
2018180005.tif 000008
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
使用者の指によって操作される操作部を備える測定器であって、
前記操作部は、指の操作に伴い移動することで指に対する抵抗を発生させるとともに、所定の移動位置にて前記抵抗を変化させることで、指の触覚として所定の測定圧に達したことを通知する触覚通知手段を備え、
前記測定器は、一方のジョーを有する本尺と、この本尺にスライド可能に設けられ前記一方のジョーとともに被測定物に当接される他方のジョーを有するスライダと、このスライダに設けられるとともに当該スライダをスライドするための前記操作部と、を備えたノギスであることを特徴とする測定器。
【請求項２】
請求項１に記載された測定器において、
前記触覚通知手段は、前記操作部が前記所定の移動位置に達する直前から当該所定の移動位置にかけて、前記抵抗を急変させることで、指に対してクリック感を与えることを特徴とする測定器。
【請求項３】
請求項１または請求項２に記載された測定器において、
前記触覚通知手段は、前記操作部の複数の移動位置において前記抵抗を変化させることで、各移動位置に対応した異なる測定圧に達したことを通知可能に構成されていることを特徴とする測定器。
【請求項４】
請求項１から請求項３のいずれかに記載された測定器において、
前記触覚通知手段は、使用者が指を掛ける指掛け部を有して前記スライダに移動自在に設けられる移動部材と、前記移動部材の移動に伴って当該移動部材を付勢することで前記抵抗を発生させる付勢部と、前記移動部材に接触して前記抵抗を変化させる抵抗変更部と、を有して構成されることを特徴とする測定器。
【請求項５】
請求項４に記載された測定器において、
前記抵抗変更部は、前記移動部材に摺接する摺接ばねを有して構成され、
前記移動部材および前記摺接ばねの一方には、他方に向かって突出した突起が形成され、他方には、前記突起に当接する当接部が形成され、この当接部が前記突起を乗り越えることで、前記抵抗を急変させて指に対してクリック感を与えることを特徴とする測定器。
【請求項６】
請求項４または請求項５に記載された測定器において、
前記移動部材は、前記本尺に沿って前記スライダがスライドする方向に対応した第一方向および第二方向に移動可能に設けられ、
前記付勢部は、前記第一方向に向かって移動する前記移動部材を付勢する第一付勢部と、前記第二方向に向かって移動する前記移動部材を付勢する第二付勢部と、を有し、
前記抵抗変更部は、前記第一方向および第二方向の各方向に移動する前記移動部材に接触して前記抵抗を変更可能に構成されていることを特徴とする測定器。
【手続補正２】
【補正対象書類名】明細書
【補正対象項目名】０００７
【補正方法】変更
【補正の内容】
【０００７】
本発明の測定器は、使用者の指によって操作される操作部を備える測定器であって、前記操作部は、指の操作に伴い移動することで指に対する抵抗を発生させるとともに、所定の移動位置にて前記抵抗を変化させることで、指の触覚として所定の測定圧に達したことを通知する触覚通知手段を備え、測定器は、一方のジョーを有する本尺と、この本尺にスライド可能に設けられ一方のジョーとともに被測定物に当接される他方のジョーを有するスライダと、このスライダに設けられるとともに当該スライダをスライドするための操作部と、を備えたノギスであることを特徴とする。
【手続補正３】
【補正対象書類名】明細書
【補正対象項目名】０００９
【補正方法】変更
【補正の内容】
【０００９】
また、測定器の操作部に触覚通知手段が設けられているので、従来の測定器における第二スライダのような別体の部材を追加する必要がなく、測定器の大型化や機構の複雑化を招くことがない。さらに、一般的な測定器の操作部を操作するのと同様の操作によって測定を実施することができ、良好な使い勝手を維持して操作性を一層向上させることができる。また、ノギスにおけるスライダに触覚通知手段を有した操作部が設けられ、この操作部を指で操作することでスライダをスライドすることができるので、ノギスが大型化することなく、良好な使い勝手を維持して操作性を向上させることができる。すなわち、ノギスにおいて、本尺を手で掴むとともにスライダの一部に指を掛けてスライドするのが通常の使用方法であることから、本発明において、スライダをスライドするための操作部がスライダの一部に設けられていることで、良好な使い勝手を維持することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】